【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
メディア・アイテムをギフトとして提供する方法であって、
贈るために入手可能な複数のメディア・アイテムを表示させることと、
前記メディア・アイテムの選択およびメディア配送タイプの指示を、ユーザからインタラクティブ・メディア・コンポーネントにおいて受け取ることと、
前記メディア・アイテムの前記選択の受け取りに応じて、前記ユーザが前記選択されたメディア・アイテムの少なくとも１人の受取人を選択しうる、可能性のある受取人のリストを提示されるようにすることと、
可能性のある受取人の前記リストから前記メディア・アイテムの前記少なくとも１人の受取人の選択を受け取ることと、
前記メディア・アイテムの前記選択に基づく購入トランザクションを処理することと、
前記指示されたメディア配送方法タイプに対応する配送方法を使用することにより、前記メディア・アイテムの前記少なくとも１人の受取人への配送を、マシンのプロセッサによって起動することと
を含む方法。
【請求項２】
１つまたは複数の入手可能なメディア・アイテムのカタログおよび前記１つまたは複数の入手可能なメディア・アイテム毎の対応する価格設定を含むユーザ・インタフェースを生成する命令を提供することを更に含む、
請求項１に記載の方法。
【請求項３】
前記対応する価格設定が、前記メディア配送タイプに基づいた、
請求項２に記載の方法。
【請求項４】
前記対応する価格設定が、前記メディア・アイテムを提供するソースプロバイダに基づいた、
請求項２に記載の方法。
【請求項５】
前記少なくとも１人の受取人に前記ギフトとして前記ユーザが提供したい前記メディア・アイテムを前記ユーザが使用している間に、前記命令を提供することが、ある入力により起動される、
請求項２に記載の方法。
【請求項６】
前記選択を受け取ることが、前記ユーザに前記選択を提供するために、ユーザ・インタフェースを提供するのに使用されるデータ・パスとは異なるリターン・データ・パスを介して発生する、
請求項１に記載の方法。
【請求項７】
前記配送を起動することが、前記少なくとも１人の受取人のモバイル・デバイスに前記メディア・アイテムがダウンロードされるようにすることを含む、
請求項１に記載の方法。
【請求項８】
前記配送を起動することが、前記少なくとも１人の受取人に送信されているメディア・ストリームに前記メディア・アイテムが注入されるようにすることを含む、
請求項１に記載の方法。
【請求項９】
前記配送を起動することが、前記少なくとも１人の受取人のセットトップ・ボックスに前記メディア・アイテムが送信されるようにすることを含む、
請求項１に記載の方法。
【請求項１０】
前記配送を起動することが、前記メディア・アイテムが前記受取人のアカウントに関連付けられるようにすることであって、前記受取人が、前記メディア・アイテムに前記アカウントを介してアクセスすることを含む、
請求項１に記載の方法。
【請求項１１】
前記配送を起動することが、前記メディア配送タイプに基づいて前記少なくとも１人の受取人のデバイスに前記メディア・アイテムを提供するように、コンテンツ・ソースプロバイダまたはアプリケーション・ソースプロバイダの一方に命令を送信することを含む、
請求項１に記載の方法。
【請求項１２】
前記配送を起動することが、インタラクティブ・アプリケーションを含む前記メディア・アイテムを提供するように、アプリケーション・ソースプロバイダに命令を送信することを含む、
請求項１に記載の方法。
【請求項１３】
前記メディア・アイテムが、プレミアム・チャンネル、メディア分配サービスへの加入、またはメディア分配サービスへの加入のアップグレードのうちの１つまたは複数を含むサービスを含む、
請求項１に記載の方法。
【請求項１４】
前記メディア・アイテムが、ビデオ・オン・デマンドを含む、
請求項１に記載の方法。
【請求項１５】
前記メディア・アイテムの２人以上の受取人の選択についてバルク割引を行うことを更に含む、
請求項１に記載の方法。
【請求項１６】
メディア・アイテムをギフトとして提供するためのシステムであって、
マシンのプロセッサと、
インタラクティブ・メディア・コンポーネントの少なくとも１つの選択モジュールであって、前記メディア・アイテムの選択およびメディア配送タイプの指示をユーザから受け取り、かつ、前記メディア・アイテムの前記選択の前記受取に応じて提示される、可能性のある受取人のリストから前記メディア・アイテムの少なくとも１人の受取人の選択を受け取るように構成される、選択モジュールと、
前記メディア・アイテムの前記選択に基づく購入トランザクションを処理するように構成されたトランザクション・モジュールと、
前記指示されたメディア配送方法タイプに対応する配送方法を使用することにより、前記メディア・アイテムの前記少なくとも１人の受取人への配送を、前記マシンの前記プロセッサを使用して起動するように構成された配送モジュールと
を備えるシステム。
【請求項１７】
前記少なくとも１つの選択モジュールが、１つまたは複数の入手可能なメディア・アイテムのカタログおよび前記１つまたは複数の入手可能なメディア・アイテム毎の対応する価格設定を含むユーザ・インタフェースを生成する命令を提供するように更に構成される、
請求項１６に記載のシステム。
【請求項１８】
前記対応する価格設定を、１つまたは複数の入手可能なメディア・アイテムのそれぞれに提供するように構成された価格設定モジュールを更に備え、
前記対応する価格設定が、メディア配送タイプ、前記メディア・アイテムを提供しているソースプロバイダのうちの１つまたは複数に基づく、
請求項１７に記載のシステム。
【請求項１９】
少なくとも１つのプロセッサと通信を行い、命令を格納した非一時的マシン可読記憶メディアであって、前記命令が前記少なくとも１つのプロセッサにより実行されると、前記非一時的マシン可読記憶メディアがあるオペレーションを実行し、前記オペレーションが、
贈るために入手可能な複数のメディア・アイテムを表示させることと、
前記メディア・アイテムの選択およびメディア配送タイプの指示を、ユーザからインタラクティブ・メディア・コンポーネントにおいて受け取ることと、
前記メディア・アイテムの前記選択の受け取りに応じて、前記ユーザが前記選択されたメディア・アイテムの少なくとも１人の受取人を選択しうる、可能性のある受取人のリストを提示させることと、
可能性のある受取人の前記リストから前記メディア・アイテムの前記少なくとも１人の受取人の選択を受け取ることと、
前記メディア・アイテムの前記選択に基づく購入トランザクションを処理することと、
前記指示されたメディア配送方法タイプに対応する配送方法を使用することにより、前記メディア・アイテムの前記少なくとも１人の受取人への配送を起動することとを含む、
非一時的マシン可読記憶メディア。
【請求項２０】
前記選択を受け取ることは、前記メディア・アイテムの前記選択、前記メディア配送タイプの前記指示、前記選択されたメディア・アイテムがギフトであることの指示、および単一のユーザ・インタフェースから前記メディア・アイテムに対する前記少なくとも１人の受取人の前記選択を受け取ることを含む、
請求項１に記載の方法。
【請求項２１】
前記選択を受け取ることは、前記メディア・アイテムの前記選択、前記メディア配送タイプの前記指示、前記選択されたメディア・アイテムがギフトであることの指示、および前記ユーザに前記メディア・アイテムを同時に提示もする単一のユーザ・インタフェースから前記メディア・アイテムに対する前記少なくとも１人の受取人の前記選択を受け取ることを含む、
請求項５に記載の方法。
【請求項２２】
各コンテンツソースもしくは各アプリケーションソース用の前記メディア・アイテムの価格と共に、前記メディア・アイテムを提供する前記コンテンツソースもしくは前記アプリケーションソースのリストを提供することを更に含む、
請求項１に記載の方法。
【請求項２３】
前記メディア配送タイプは、デジタルダウンロード、有体メディア・アイテム、インスタントストリーミングもしくはブロードキャストのうちの１つを含む、
請求項１に記載の方法。
【請求項２４】
前記メディア配送タイプの前記指示は、前記メディア・アイテムの前記選択後に受け取られる、
請求項１に記載の方法。
【請求項２５】
前記少なくとも１人の受取人の前記選択の時に、可能性のある受取人の前記リストへと追加するための受取人を受け取ることを更に含む、
請求項１に記載の方法。